(57)【要約】【課題】  ある１個の有機ＥＬ素子を駆動するための複数個の容量素子に対する一斉充電、及び、一斉放電を行う時間を確保する。【解決手段】電気光学装置は、複数の単位回路（Ｐ１）と、各単位期間内における駆動期間ごとに一の走査線（３）を順次選択する走査線駆動回路（２００）と、駆動期間が開始される前の書込期間ごとに、データ線（６）に含まれる各配線（６Ａ，６Ｂ）のうちのいずれかの配線にデータ電位（ＶＤ[１]_Ａ，ＶＤ[１]_Ｂ，…，ＶＤ[ｎ]_Ｂ）を出力するデータ線駆動回路（３００）と、を備える。前記の複数の単位回路のうち、あるものは配線（６Ａ）に接続され、また、あるものは配線（６Ｂ）に接続される。【選択図】図１
2010243610.tif 000002
【特許請求の範囲】
【請求項１】
複数の走査線と複数のデータ線との交差に対応して配置された複数の単位回路と、
前記複数のデータ線の各々を構成する複数の配線と、
各単位期間内における駆動期間ごとに、一の前記走査線を順次選択する走査線駆動回路と、
前記各単位期間内における期間であって前記駆動期間が開始される前の書込期間ごとに、当該単位期間内の前記駆動期間で選択される前記走査線に対応する前記単位回路の階調データに応じたデータ電位を、前記各データ線に含まれる前記各配線のうちのいずれかの配線に出力するデータ線駆動回路と、
を備え、
前記複数の単位回路の各々は、
前記データ電位に応じた階調となる電気光学素子と、
容量線に接続された第１電極、及び、前記データ線に含まれる前記各配線のいずれかの配線に接続された第２電極を有する容量素子と、
前記第２電極と前記電気光学素子との間に配置されて前記走査線駆動回路による前記走査線の選択時に導通することで前記第２電極と前記電気光学素子とを導通させるスイッチング素子と、
を含み、
当該複数の単位回路のうちの一の単位回路に含まれる前記容量素子の前記第２電極は、
前記データ線に含まれる前記各配線のうちの一の配線に接続され、
当該一の単位回路に、当該データ線の延在方向に沿って並ぶ他の単位回路に含まれる前記容量素子の前記第２電極は、
当該データ線に含まれる前記各配線のうちの他の配線に接続される、
ことを特徴とする電気光学装置。
【請求項２】
複数の走査線と複数のデータ線との交差に対応して配置された複数の単位回路と、
前記複数のデータ線の各々を構成する複数の配線と、
各単位回路内における駆動期間ごとに、一の前記走査線を順次選択する走査線駆動回路と、
前記各単位期間内における期間であって前記駆動期間が開始される前の書込期間ごとに、当該単位期間内の前記駆動期間で選択される前記走査線に対応する前記単位回路の階調データに応じたデータ電位を、前記各データ線に含まれる前記各配線のうちのいずれかの配線に出力するデータ線駆動回路と、
前記複数のデータ線に含まれる前記各配線と前記データ線駆動回路との間に配置された複数の第１スイッチング素子と、
を備え、
前記複数の単位回路の各々は、
前記データ電位に応じた階調となる電気光学素子と、
前記データ線に含まれる一の前記配線と前記電気光学素子との間に配置されて前記走査線駆動回路による前記走査線の選択時に導通することで当該配線と当該電気光学素子とを導通させる第２スイッチング素子と、
を含み、
当該複数の単位回路のうちの一の単位回路に含まれる前記第２スイッチング素子は、
前記データ線に含まれる前記各配線のうちの一の配線に接続され、
当該一の単位回路に、当該データ線の延在方向に沿って並ぶ他の単位回路に含まれる前記第２スイッチング素子は、
当該データ線に含まれる前記各配線のうちの他の配線に接続され、
前記データ線駆動回路が前記データ線に含まれる一の前記配線に前記データ電位を出力する際に、
当該配線に対応する前記第１スイッチング素子は、
前記書込期間において導通状態となり、当該配線と前記データ線駆動回路とを導通させることで、当該配線に付随する容量に前記データ電位に応じた電荷を蓄積させ、
前記駆動期間において非導通状態となり、当該配線と前記データ線駆動回路とを導通させない、
ことを特徴とする電気光学装置。
【請求項３】
前記一の単位回路に係る前記単位期間は、
前記他の単位回路に係る前記単位期間の少なくとも一部と重なる、
ことを特徴とする請求項１又は２に記載の電気光学装置。
【請求項４】
前記データ線駆動回路は、
前記各配線のうちのいずれの配線に前記データ電位を供給するかを定める切換部を含む、
ことを特徴とする請求項１乃至３のいずれか一項に記載の電気光学装置。
【請求項５】
前記データ線駆動回路は、
前記各配線のうちの前記一の配線のために供給される前記データ電位を生成する第１データ電位生成部と、
当該第１データ電位生成部における前記データ電位の生成とは独立に、前記各配線のうちの前記他の配線のために供給される前記データ電位を生成する第２データ電位生成部と、
を少なくとも含む、
ことを特徴とする請求項１乃至４のいずれか一項に記載の電気光学装置。
【請求項６】
前記各単位回路における前記容量素子又は前記配線に付随する容量とは別に、一方の電極が前記配線に接続される補助用の容量素子を更に備える、
ことを特徴とする請求項１乃至５のいずれか一項に記載の電気光学装置。
【請求項７】
前記データ線の各々は偶数本の配線から構成され、
当該偶数本の配線のうちの半数の配線は、前記単位回路の一方の側に配置され、
残る半数の配線は、前記単位回路の他方の側に配置される、
ことを特徴とする請求項１乃至６のいずれか一項に記載の電気光学装置。
【請求項８】
前記一の単位回路及び前記他の単位回路は、前記データ線の延在方向に沿って隣り合って並ぶ１個の単位回路群を構成し、
前記単位回路群は、当該データ線の延在方向に沿って繰り返し配列される、
ことを特徴とする請求項１乃至７のいずれか一項に記載の電気光学装置。
【請求項９】
請求項１乃至８のいずれか一項に記載の電気光学装置を備える、
ことを特徴とする電子機器。
【請求項１０】
データ線を構成する複数の配線と、これら各配線のいずれかの配線に接続された容量素子と、当該容量素子の電荷放電によって所定の階調となる電気光学素子と、を含む電気光学装置の駆動方法であって、
前記データ線に含まれる一の配線に第１データ電位を供給して、当該一の配線に接続された前記容量素子に当該第１データ電位に応じた電荷を蓄積する第１工程と、
前記一の配線に接続された前記容量素子に蓄積された電荷を放電させることによって当該容量素子に対応する前記電気光学素子に当該電荷に応じた電圧又は電流を供給する第２工程と、
前記データ線に含まれる他の配線に第２データ電位を供給して、当該他の配線に接続された前記容量素子に当該第２データ電位に応じた電荷を蓄積する第３工程と、
前記他の配線に接続された前記容量素子に蓄積された電荷を放電させることによって当該容量素子に対応する前記電気光学素子に当該電荷に応じた電圧又は電流を供給する第４工程と、
を含む、
ことを特徴とする電気光学装置の駆動方法。
【請求項１１】
データ線を構成する複数の配線と、これら各配線のいずれかの配線に接続され当該配線に付随する容量の電荷放電によって所定の階調となる電気光学素子と、を含む電気光学装置の駆動方法であって、
前記データ線に含まれる一の配線に第１データ電位を供給して、当該一の配線に付随する容量に当該第１データ電位に応じた電荷を蓄積する第１工程と、
前記一の配線に付随する容量に蓄積された電荷を放電させることによって当該一の配線に対応する前記電気光学素子に当該電荷に応じた電圧又は電流を供給する第２工程と、
前記データ線に含まれる他の配線に第２データ電位を供給して、当該他の配線に付随する容量に当該第２データ電位に応じた電荷を蓄積する第３工程と、
前記他の配線に付随する容量に蓄積された電荷を放電させることによって当該他の配線に対応する前記電気光学素子に当該電荷に応じた電圧又は電流を供給する第４工程と、
を含む、
ことを特徴とする電気光学装置の駆動方法。
【請求項１２】
前記第１工程は、前記第３及び第４工程の少なくとも１つの工程と並行して行われ、又は、
前記第３工程は、前記第１及び第２工程の少なくとも１つの工程と並行して行われる、
ことを特徴とする請求項１０又は１１に記載の電気光学装置の駆動方法。
【発明の詳細な説明】
【技術分野】
【０００１】
本発明は、有機ＥＬ（electro luminescent）素子、液晶等を含む電気光学装置及びその駆動方法並びに電子機器に関する。
【背景技術】
【０００２】
従来、電気光学素子として有機ＥＬ素子等を含む電気光学装置が提供されている。この電気光学装置では、有機ＥＬ素子等に所定の電流又は電圧を供給するための、さまざまな駆動回路が備えられる。このような駆動回路は、例えば、有機ＥＬ素子に加えて、これに並列に接続される容量素子を含むことがある。この場合、有機ＥＬ素子の陽極及び容量素子の一方の電極にデータ電位が、有機ＥＬ素子の陰極及び容量素子の他方の電極に基準電位が、それぞれ供給されるなどということになる。これによると、容量素子に蓄えられた、前記データ電位に応じた電荷に起因する電流供給が、有機ＥＬ素子に対して行われ得ることになるから、当該有機ＥＬ素子の安定的な駆動を行うこと等が可能になる。
このような電気光学装置としては、例えば特許文献１に開示されているようなものが知られている。
【先行技術文献】
【特許文献】
【０００３】
【特許文献１】特開２０００−１２２６０８号公報
【発明の概要】
【発明が解決しようとする課題】
【０００４】
ところで、上述したような電気光学装置においては、次のような問題がある。すなわち、有機ＥＬ素子の発光量（発光輝度の時間積分値）を十分な値とするためには、前記容量素子に蓄える電荷量を大きくする必要があり、したがって、前記容量素子の容量を非常に大きな値とする必要がある。しかし、１個１個の駆動回路の設置のために許される物理的面積には制約があること等の関係から、そのような大容量値の実現には、そもそも困難が伴う。
【０００５】
そこで、上記問題を解決するため、本願出願人は、既に特願２００８−２６５８０号に係る技術を提案している。そこにおいては、複数の駆動回路（単位回路）の各々に含まれる容量素子を、１個の有機ＥＬ素子を駆動するために利用する技術が開示されている。簡単な例でいえば、駆動回路が単純に１列だけ並べられているとして、その数がＮ個ある（したがって容量素子及び有機ＥＬ素子もともにＮ個ある）とする場合、ある１個の有機ＥＬ素子を駆動するにあたっては、第１に、当該有機ＥＬ素子に対応するデータ電位に応じた充電を全駆動回路に含まれるＮ個の容量素子について一斉に行い、第２に、そのＮ個の容量素子の一斉放電（即ち、電流供給）を当該有機ＥＬ素子に向けて行う、などということになる。
これによると、前述のような不具合は殆ど問題でなくなる。
【０００６】
とはいえ、このような技術にもなお改善の余地がある。すなわち、前述の例にしたがえば、ある１個の有機ＥＬ素子を駆動するために、Ｎ個全部の容量素子に対する一斉充電、及び、一斉放電を行うことが必要となるが、その各々を十分に行うための時間が比較的長期にわたるおそれがあることである。これによると、仮に、その一斉充電又は一斉放電が十分になされる時間を確保しようとすれば各有機ＥＬ素子の駆動タイミングが間延びしてしまうことになるし、あるいは、一定の書込時間及び発光時間（これらはそれぞれ、前記の充電及び放電に対応する。）を前提とするのであれば十分な充電及び放電が行えない、という問題となって現れることになる。その結果、輝度ムラの発生等が懸念される。
【０００７】
本発明は、上述した課題の少なくとも一部を解決することの可能な電気光学装置及びその駆動方法並びに電子機器を提供することを目的とする。
また、本発明は、かかる態様の電気光学装置、その駆動方法、あるいは電子機器に関連する課題を解決可能な、電気光学装置、その駆動方法、あるいは電子機器を提供することをも目的とする。
【課題を解決するための手段】
【０００８】
本発明の第１の観点に係る電気光学装置は、上述した課題を解決するため、複数の走査線と複数のデータ線との交差に対応して配置された複数の単位回路と、前記複数のデータ線の各々を構成する複数の配線と、各単位期間内における駆動期間ごとに、一の前記走査線を順次選択する走査線駆動回路と、前記各単位期間内における期間であって前記駆動期間が開始される前の書込期間ごとに、当該単位期間内の前記駆動期間で選択される前記走査線に対応する前記単位回路の階調データに応じたデータ電位を、前記各データ線に含まれる前記各配線のうちのいずれかの配線に出力するデータ線駆動回路と、を備え、前記複数の単位回路の各々は、前記データ電位に応じた階調となる電気光学素子と、容量線に接続された第１電極、及び、前記データ線に含まれる前記各配線のいずれかの配線に接続された第２電極を有する容量素子と、前記第２電極と前記電気光学素子との間に配置されて前記走査線駆動回路による前記走査線の選択時に導通することで前記第２電極と前記電気光学素子とを導通させるスイッチング素子と、を含み、当該複数の単位回路のうちの一の単位回路に含まれる前記容量素子の前記第２電極は、前記データ線に含まれる前記各配線のうちの一の配線に接続され、当該一の単位回路に、当該データ線の延在方向に沿って並ぶ他の単位回路に含まれる前記容量素子の前記第２電極は、当該データ線に含まれる前記各配線のうちの他の配線に接続される。
【０００９】
本発明によれば、例えば、以下のような動作が実現可能である。
すなわち、第１に、書込期間において、一の配線に接続された、一の単位回路内の容量素子への充電が行われる。この場合、データ線駆動回路がデータ電位を出力する「いずれかの配線」は、当該一の配線ということになる。第２に、この書込期間の後の駆動期間において、その容量素子の放電が、選択対象となった走査線に対応する単位回路（当該一の単位回路である場合もあり得る。）に含まれる電気光学素子に向けて行われる。
このような動作においては、容量素子への充電及びそこからの放電に関与する単位回路が、前記一の配線に接続された容量素子を含むものに限られる。つまり、本発明においては、「他の配線」に接続された「他の単位回路」の存在が前提されていることから、全単位回路内の容量素子が、そのような充電及び放電に関与するわけではない。
他方、前述の第１及び第２の動作は、他の配線に接続された、他の単位回路内の容量素子に関しても全く同様に行われる（この場合は、一の配線に接続された一の単位回路は、前述したような充電及び放電に関与しない。）。
このように、本発明によれば、充電又は放電の対象となる容量素子の数が、少なくとも容量素子の全数に比べれば少なくなるから、その時間を比較的長期に確保することが可能になる。したがって、本発明によれば、充電時間あるいは放電時間の不足に起因する不都合、例えば輝度ムラの発生等が効果的に抑制される。
【００１０】
また、本発明の第２の観点に係る電気光学装置は、上述した課題を解決するため、複数の走査線と複数のデータ線との交差に対応して配置された複数の単位回路と、前記複数のデータ線の各々を構成する複数の配線と、各単位回路内における駆動期間ごとに、一の前記走査線を順次選択する走査線駆動回路と、前記各単位期間内における期間であって前記駆動期間が開始される前の書込期間ごとに、当該単位期間内の前記駆動期間で選択される前記走査線に対応する前記単位回路の階調データに応じたデータ電位を、前記各データ線に含まれる前記各配線のうちのいずれかの配線に出力するデータ線駆動回路と、前記複数のデータ線に含まれる前記各配線と前記データ線駆動回路との間に配置された複数の第１スイッチング素子と、を備え、前記複数の単位回路の各々は、前記データ電位に応じた階調となる電気光学素子と、前記データ線に含まれる一の前記配線と前記電気光学素子との間に配置されて前記走査線駆動回路による前記走査線の選択時に導通することで当該配線と当該電気光学素子とを導通させる第２スイッチング素子と、を含み、当該複数の単位回路のうちの一の単位回路に含まれる前記第２スイッチング素子は、前記データ線に含まれる前記各配線のうちの一の配線に接続され、当該一の単位回路に、当該データ線の延在方向に沿って並ぶ他の単位回路に含まれる前記第２スイッチング素子は、当該データ線に含まれる前記各配線のうちの他の配線に接続され、前記データ線駆動回路が前記データ線に含まれる一の前記配線に前記データ電位を出力する際に、当該配線に対応する前記第１スイッチング素子は、前記書込期間において導通状態となり、当該配線と前記データ線駆動回路とを導通させることで、当該配線に付随する容量に前記データ電位に応じた電荷を蓄積させ、前記駆動期間において非導通状態となり、当該配線と前記データ線駆動回路とを導通させない。
【００１１】
本発明によれば、上述した本発明の第１の観点に係る電気光学装置によって奏された作用効果と同様の作用効果が奏される。
ただし、本発明においては、充電対象となるのは、データ線に含まれる「配線に付随する容量」であり、したがってまた、放電対象となるのも、その「容量」である。なお、この放電は、上述の規定から、駆動期間において配線とデータ線駆動回路とが非導通状態となるとともに、配線と電気光学素子とが導通状態となることによって実現される。
ここで「配線に付随する容量」には、例えば、配線自体に寄生する容量（更に具体的には、配線と電気光学素子を構成する一方の電極との間に寄生する容量等）が含まれる。また、この「配線に付随する容量」には、前述した本発明の第１の観点に係る電気光学装置を構成する「容量素子」も含まれる（したがって、この意味においては、この第２の観点に係る電気光学装置のほうが、第１の観点に係るそれよりも、捕捉範囲は広い、といえる。）。
このように、本発明においては、前記の第１の観点に係る電気光学装置によって奏された作用効果に加えて、前述した「容量素子」の設置が必要不可欠の要素とされていないことから、それを設置する分の低コスト化を達成することができる。また、同じ理由から、単位回路のサイズの縮小化も実現できるので、高精細化もまた可能になる。
【００１２】
本発明の第１又は第２の観点に係る電気光学装置では、前記一の単位回路に係る前記単位期間は、前記他の単位回路に係る前記単位期間の少なくとも一部と重なる、ように構成してもよい。
この態様によれば、一の単位回路及び他の単位回路に係る単位時間が相互に一部重なり合うことから、前述した充電時間あるいは放電時間をより長期に確保することが可能になる。また、このような単位期間の重なり合いは、所定の一定時間内で、全単位回路内の電気光学素子を効率的に駆動することを可能にするということもできる。
なお、本態様において、「単位回路に係る単位期間」とは、その単位回路内の電気光学素子が所定の階調となるべく、前述した書込期間及び駆動期間内に行われるデータ電位出力及び走査線の選択が、当該の単位回路のために実行される場合における、当該の期間を意味する。
【００１３】
また、本発明の第１又は第２の観点に係る電気光学装置では、前記データ線駆動回路は、前記各配線のうちのいずれの配線に前記データ電位を供給するかを定める切換部を含む、ように構成してもよい。
この態様によれば、データ線駆動回路が切換部を含むので、データ線に含まれる各配線へのデータ電位の供給等が好適に行われる結果、前述した本発明に係る効果をより実効的に享受可能である。
また、本態様に関し、より具体的には例えば、仮に１個のデータ線が“２本”の配線を含んでいるとするなら、前記一の単位回路についての書込期間中は、そのうちの一方の配線にデータ電位が供給され、他の単位回路についての書込期間中は、他方の配線にデータ電位が供給される、などということになる。この場合特に、後者の、他の単位回路についての書込期間中は、前記一方の配線はいわば開放されているから、当該期間は、当該配線に付随する容量からの電荷放電、即ち前記一の単位回路についての駆動期間にあてることができる。このことは、これら一及び他の単位回路の各々に係る「駆動期間」及び「書込期間」の少なくとも一部を重ね合わせることが可能であることを意味する。
このようにして、本態様によれば、前述した本発明に係る効果がより実効的に奏される。
【００１４】
また、本発明の第１又は第２の観点に係る電気光学装置では、前記データ線駆動回路は、前記各配線のうちの前記一の配線のために供給される前記データ電位を生成する第１データ電位生成部と、当該第１データ電位生成部における前記データ電位の生成とは独立に、前記各配線のうちの前記他の配線のために供給される前記データ電位を生成する第２データ電位生成部と、を少なくとも含む、ように構成してもよい。
この態様によれば、データ線駆動回路が、第１及び第２データ電位生成部という２つの区分された独立の構成を含むので、例えば、一の配線を対象とするデータ電位の出力と、他の配線を対象とするデータ電位の出力とを並行して行うことができる。このことは、これら一及び他の単位回路に係る「書込期間」の少なくとも一部を重ね合わせることが可能であることを意味する。
なお、本態様においても、直前の態様において述べたような、一及び他の単位回路の各々に係る「駆動期間」及び「書込期間」の少なくとも一部を重ね合わせることは、同様に実現可能である。
このようにして、本態様によれば、前述した本発明に係る効果がより実効的に奏される。
【００１５】
また、本発明の第１又は第２の観点に係る電気光学装置では、前記各単位回路における前記容量素子又は前記配線に付随する容量とは別に、一方の電極が前記配線に接続される補助用の容量素子を更に備える、ように構成してもよい。
この態様によれば、選択された走査線に対応する単位回路における電気光学素子の発光量を十分な値とするために必要な容量に対して、当該単位回路に対応する配線に接続された各容量素子の合計容量、あるいはその配線に付随する容量が少ない場合であっても、補助用の容量素子の容量によって不足分を補うことができる。
ちなみに、このような効果は、本発明一般がそもそも、上述のように全容量素子、あるいは全配線に付随する全容量を用いた充電及び放電を行わず、したがって前述したような不足分が生じ易い状況にあることを考えると、より有意義であるといえる。
【００１６】
また、本発明の第１又は第２の観点に係る電気光学装置では、前記データ線の各々は偶数本の配線から構成され、当該偶数本の配線のうちの半数の配線は、前記単位回路の一方の側に配置され、残る半数の配線は、前記単位回路の他方の側に配置される、ように構成してもよい。
この態様によれば、複数の配線を含むデータ線及び単位回路のレイアウトを好適に（より具体的には例えば、バランスよく）行うことができる。
【００１７】
また、本発明の第１又は第２の観点に係る電気光学装置では、前記一の単位回路及び前記他の単位回路は、前記データ線の延在方向に沿って隣り合って並ぶ１個の単位回路群を構成し、前記単位回路群は、当該データ線の延在方向に沿って繰り返し配列される、ように構成してもよい。
この態様によれば、例えば、ある１個のデータ線に着目すると、それに沿って、一の単位回路、他の単位回路、一の単位回路、他の単位回路、一の単位回路、…という繰り返し配列が行われることになる。そして、これらのうちの一の単位回路（の全部）は当該データ線に含まれる一の配線に共通接続され、他の単位回路（の全部）は、当該データ線に含まれる他の配線に共通接続される、などということになる。
このように、本態様においては、これら一及び他の単位回路がバランスよく配置されることから、全単位回路のうちのある単位回路を駆動対象とする場合において、当該単位回路に含まれる電気光学素子への電荷供給にムラが生じるといった懸念がない。
【００１８】
また、本発明の電子機器は、上記課題を解決するために、上述した各種の電気光学装置を備える。
本発明の電子機器は、上述した各種の電気光学装置を備えてなるので、容量素子又は前記配線に付随する容量への充電又はそこからの放電のための時間を比較的長期に確保することが可能となるなどの結果、より高品質な画像を表示すること等が可能である。
【００１９】
一方、本発明の第１の観点に係る電気光学装置の駆動方法は、上記課題を解決するため、データ線を構成する複数の配線と、これら各配線のいずれかの配線に接続された容量素子と、当該容量素子の電荷放電によって所定の階調となる電気光学素子と、を含む電気光学装置の駆動方法であって、前記データ線に含まれる一の配線に第１データ電位を供給して、当該一の配線に接続された前記容量素子に当該第１データ電位に応じた電荷を蓄積する第１工程と、前記一の配線に接続された前記容量素子に蓄積された電荷を放電させることによって当該容量素子に対応する前記電気光学素子に当該電荷に応じた電圧又は電流を供給する第２工程と、前記データ線に含まれる他の配線に第２データ電位を供給して、当該他の配線に接続された前記容量素子に当該第２データ電位に応じた電荷を蓄積する第３工程と、前記他の配線に接続された前記容量素子に蓄積された電荷を放電させることによって当該容量素子に対応する前記電気光学素子に当該電荷に応じた電圧又は電流を供給する第４工程と、を含む。
【００２０】
本発明によれば、その第１及び第２工程において、容量素子への充電及びそこからの放電に関与する当該の容量素子が、「一の配線」に接続されたものに限られる。つまり、本発明においては、「他の配線」に接続された容量素子の存在が前提されていることから、全容量素子が、そのような充電及び放電に関与するわけではない。「他の配線」に関連する第３及び第４工程に関しても同様である。
このように、本発明によれば、充電又は放電の対象となる容量素子の数が、少なくとも容量素子の全数に比べれば少なくなるから、その時間を比較的長期に確保することが可能になる。したがって、本発明によれば、充電時間あるいは放電時間の不足に起因する不都合、例えば輝度ムラの発生等が効果的に抑制される。
また、このことからも明らかなように、本発明によれば、上述した本発明に係る電気光学装置を好適に駆動することが可能である。
なお、本発明において、「一の配線に接続された容量素子」という場合における容量素子は複数あってよい。「他の配線に接続された容量素子」という場合における容量素子についても同様である。
【００２１】
また、本発明の第２の観点に係る電気光学装置の駆動方法は、上述した課題を解決するため、データ線を構成する複数の配線と、これら各配線のいずれかの配線に接続され当該配線に付随する容量の電荷放電によって所定の階調となる電気光学素子と、を含む電気光学装置の駆動方法であって、前記データ線に含まれる一の配線に第１データ電位を供給して、当該一の配線に付随する容量に当該第１データ電位に応じた電荷を蓄積する第１工程と、前記一の配線に付随する容量に蓄積された電荷を放電させることによって当該一の配線に対応する前記電気光学素子に当該電荷に応じた電圧又は電流を供給する第２工程と、前記データ線に含まれる他の配線に第２データ電位を供給して、当該他の配線に付随する容量に当該第２データ電位に応じた電荷を蓄積する第３工程と、前記他の配線に付随する容量に蓄積された電荷を放電させることによって当該他の配線に対応する前記電気光学素子に当該電荷に応じた電圧又は電流を供給する第４工程と、を含む。
【００２２】
本発明によれば、上述した本発明の第１の観点に係る電気光学装置の駆動方法によって奏された作用効果と同様の作用効果が奏される。なお、本発明にいう「配線に付随する容量」の意義については、上述したところと同じである。
【００２３】
本発明の第１又は第２の観点に係る電気光学装置の駆動方法では、前記第１工程は、前記第３及び第４工程の少なくとも１つの工程と並行して行われ、又は、前記第３工程は、前記第１及び第２工程の少なくとも１つの工程と並行して行われる、ように構成してもよい。
この態様によれば、例えば、第１工程と第４工程との実施が一部重なり合うことから、前述した充電時間あるいは放電時間をより長期に確保することが可能になる。また、このような重なり合いは、所定の一定時間内で、全単位回路内の電気光学素子を効率的に駆動することを可能にするということもできる。
【図面の簡単な説明】
【００２４】
【図１】本発明の第１実施形態に係る電気光学装置を示すブロック図である。
【図２】図１の電気光学装置を構成する単位回路及びデータ電位生成部周囲の詳細を示す回路図である。
【図３】図１及び図２の電気光学装置の動作を説明するためのタイミングチャートである。
【図４】図３に従って動作する電気光学装置における容量素子（Ｃ１）の充電及び放電を視覚的に表現する説明図（その１）である。
【図５】図３に従って動作する電気光学装置における容量素子（Ｃ１）の充電及び放電を視覚的に表現する説明図（その２）である。
【図６】第１実施形態に係る電気光学装置の構成に対する比較例の構成を示す図である。
【図７】図６の比較例の構成の動作を説明するためのタイミングチャートである。
【図８】本発明の第２実施形態に係る電気光学装置を構成する単位回路及びデータ電位生成部周囲の詳細を示す回路図である。
【図９】図８の電気光学装置の動作を説明するためのタイミングチャートである。
【図１０】図８の電気光学装置の動作を説明するためのタイミングチャートであって、図９とは異なるものである。
【図１１】本発明の第２実施形態の変形例に係る電気光学装置を構成する単位回路及びデータ電位生成部周囲の詳細を示す回路図である。
【図１２】本発明の第１及び第２実施形態に係る電気光学装置の変形例（補助用の容量素子の付加）を構成する単位回路及びデータ電位生成部周囲の詳細を示す回路図である。
【図１３】本発明の第１及び第２実施形態に係る電気光学装置の変形例（容量素子の不存在）を構成する単位回路及びデータ電位生成部周囲の詳細を示す回路図である。
【図１４】本発明の第１及び第２実施形態に係る電気光学装置の変形例（配線数の増大）を構成する単位回路及びデータ電位生成部周囲の詳細を示す回路図である。
【図１５】本発明に係る電気光学装置を適用した電子機器を示す斜視図である。
【図１６】本発明に係る電気光学装置を適用した他の電子機器を示す斜視図である。
【図１７】本発明に係る電気光学装置を適用したさらに他の電子機器を示す斜視図である。
【発明を実施するための形態】
【００２５】
＜第１実施形態＞
以下では、本発明に係る第１の実施の形態について図１及び図２を参照しながら説明する。なお、ここに言及した図１及び図２に加え、以下で参照する各図面においては、各部の寸法の比率が実際のものとは適宜に異ならせてある場合がある。
【００２６】
図１において、電気光学装置１０は、画像を表示するための手段として各種の電子機器に採用される装置であり、複数の単位回路Ｐ１が面状に配列された画素アレイ部１００、走査線駆動回路２００及びデータ線駆動回路３００を有する。なお、図１においては、走査線駆動回路２００とデータ線駆動回路３００とが別個の回路として図示されているが、これらの回路の一部又は全部が単一の回路とされた構成も採用される。
【００２７】
図１に示すように、画素アレイ部１００には、Ｘ方向に延在するｍ本の走査線３と、Ｘ方向に直交するＹ方向に延在するｎ本のデータ線６とが設けられる（ｍ及びｎは自然数）。各単位回路Ｐ１は、走査線３とデータ線６との交差に対応する位置に配置される。したがって、これらの単位回路Ｐ１は縦ｍ行×横ｎ列のマトリクス状に配列する。
以上の構成のうち、ｎ本のデータ線６はそれぞれ、図１に示すように、一組２本の配線６_Ａ及び６_Ｂを含む。つまり、データ線６がｎ本あれば、配線６_Ａ及び６_Ｂの全数は２ｎ本である。また、これら配線６_Ａ及び６_Ｂのうち、配線６_Ａは、奇数行に位置する単位回路Ｐ１に接続される一方、配線６_Ｂは、偶数行に位置する単位回路Ｐ１に接続される。
【００２８】
図１に示す走査線駆動回路２００は、複数の単位回路Ｐ１を行単位で選択するための回路である。走査線駆動回路２００は順次アクティブとなる走査信号Ｇ[１]乃至Ｇ[ｍ]を生成してｍ本の走査線３の各々に出力する。第ｉ行（ｉは１≦ｉ≦ｍを満たす整数）の走査線３に供給される走査信号Ｇ[ｉ]のアクティブ状態への遷移は、第ｉ行に属するｎ個の単位回路Ｐ１の選択を意味する。
【００２９】
図１に示すデータ線駆動回路３００は、走査線駆動回路２００によって選択される走査線３に対応する１行分のｎ個の単位回路Ｐ１の各々の階調データに応じたデータ電位ＶＤ[１]乃至ＶＤ[ｎ]を生成して各データ線６に出力する。なお、以下では、第ｊ列目（ｊは１≦ｊ≦ｎを満たす整数）のデータ線６に出力されるデータ電位ＶＤをＶＤ[ｊ]と表記することがある。
この場合、各データ線６が前述のように２本の配線６_Ａ及び６_Ｂを含むことから、データ電位ＶＤ[１]乃至ＶＤ[ｎ]の各々も、これら２本の配線６_Ａ及び６_Ｂに応じる。すなわち、例えば、第１列目のデータ線６に含まれる配線６_Ａ及び６_Ｂにはデータ電位ＶＤ[１]_Ａ及びＶＤ[１]_Ｂが対応して出力され、第３列目のデータ線６に含まれる配線６_Ａ及び６_Ｂには、データ電位ＶＤ[３]_Ａ及びＶＤ[３]_Ｂが対応して出力される、などというようである（図１参照）。
【００３０】
データ線駆動回路３００は、これを実現するため、図２に示すように、各列に位置する単位回路Ｐ１に対応するデータ電位生成部３０１、第１及び第２スイッチング・トランジスター３０２_Ａ及び３０２_Ｂ、並びに、これら各々のゲートに制御信号を供給するスイッチング・トランジスター制御用配線（以下、「ＳＷ用配線」と略す。）３０３_Ａ及び３０３_Ｂを含む。
このうちデータ電位生成部３０１は、１本のデータ線６ごとに、あるいは、一組の配線６_Ａ及び６_Ｂごとに、１個ずつ対応するように設けられる。これらデータ電位生成部３０１の各々は、それに対応する配線６_Ａ及び６_Ｂが、何列目のデータ線６に対応するものであるかに応じたデータ電位を生成する。例えば、１列目のデータ線６に対応する配線６_Ａ及び６_Ｂ用のデータ電位生成部３０１は、データ電位ＶＤ[１]（即ち、ＶＤ[１]_Ａ及びＶＤ[１]_Ｂ）を生成する。
また、ＳＷ用配線３０３_Ａ及び３０３_Ｂにはそれぞれ、制御信号ＳＥＬ_Ａ及びＳＥＬ_Ｂが出力される。この制御信号ＳＥＬ_Ａ及びＳＥＬ_Ｂは、走査信号Ｇ[１]乃至Ｇ[ｍ]それぞれのアクティブ状態及び非アクティブ状態間の遷移と適当に同期しながら、同様に、アクティブ状態及び非アクティブ状態間を遷移する。
第１及び第２スイッチング・トランジスター３０２_Ａ及び３０２_Ｂのそれぞれは、Ｎチャネル型であり、前記制御信号ＳＥＬ_Ａ及びＳＥＬ_Ｂがアクティブ状態となるとき導通状態となる。そして、これらの各トランジスター（３０２_Ａ，３０２_Ｂ）の導通・非導通状態間の遷移に応じて、配線６_Ａにはデータ電位ＶＤ[ｊ]_Ａが出力され、配線６_Ｂにはデータ電位ＶＤ[ｊ]_Ｂが出力される。
【００３１】
以上のことと、前述した単位回路Ｐ１と配線６_Ａ及び６_Ｂとの接続関係とから、奇数行に位置する単位回路Ｐ１には、添え字Ａによって表現されるデータ電位ＶＤ[１]_Ａ，ＶＤ[２]_Ａ，…，ＶＤ[ｎ]_Ａが供給されることになる。同様に、偶数行に位置する単位回路Ｐ１には、添え字Ｂによって表現されるデータ電位ＶＤ[１]_Ｂ，ＶＤ[２]_Ｂ，…，ＶＤ[ｎ]_Ｂが供給されることになる。
なお、本発明にいう「切換部」は、上記のうち第１及び第２スイッチング・トランジスター３０２_Ａ及び３０２_Ｂ、並びに、ＳＷ用配線３０３_Ａ及び３０３_Ｂを少なくとも含む。
【００３２】
図２は、各単位回路Ｐ１についての詳細な電気的構成を示す回路図である。
各単位回路Ｐ１は、図２に示すように、電気光学素子８、容量素子Ｃ１、及びトランジスターＴｒを有する。
電気光学素子８は、陽極と陰極との間に有機ＥＬ材料の発光層を介在させたＯＬＥＤ（Organic Light Emitting Diode）素子であり、図２に示すように、トランジスターＴｒと定電位が供給される定電位線（接地線）との間に配置される。ここで、陽極は単位回路Ｐ１毎に設けられ、単位回路Ｐ１毎に制御される個別電極であり、陰極は単位回路Ｐ１に共通に設けられた共通電極となっている。そして、陰極は定電位が供給される定電位線に接続されている。なお、陽極が共通電極であり、陰極が個別電極であってもよい。
【００３３】
容量素子Ｃ１は、データ線６から供給されるデータ電位ＶＤ[ｊ]を保持する手段である。図２に示すように、容量素子Ｃ１は、容量線３０に接続された第１電極Ｅ１と、データ線６に接続された第２電極Ｅ２と、を有する。ここで第２電極Ｅ２がデータ線６に接続されるという場合、第１実施形態では以下のような特徴がある。すなわち、図２に示すように、奇数行に位置する単位回路Ｐ１に含まれる容量素子Ｃ１の第２電極Ｅ２は、データ線６を構成する配線６_Ａに接続される。他方、偶数行に位置する単位回路Ｐ１に含まれる容量素子Ｃ１の第２電極Ｅ２は、データ線６を構成する配線６_Ｂに接続される。
なお、固定電位が供給される容量線３０は各単位回路Ｐ１に共通に接続される。また、定電位線に接地電位が供給されているが、例えば、定電位線には負電位が供給されており、データ電位ＶＤ[ｊ]のうち最高輝度を示すデータ電位ＶＤ[ｎ]が正電位であり、データ電位ＶＤ[ｊ]のうち最低輝度を示すデータ電位ＶＤ[１]が負電位であってもよい。即ち、データ電位ＶＤ[ｎ]とデータ電位ＶＤ[１]との間に接地電位があってもよい。このようにすれば、接地電位に対するデータ電位ＶＤ[ｊ]の振幅を低減でき、低消費電力化を図ることができる。
【００３４】
トランジスターＴｒは、Ｎチャネル型であり、走査線３の選択時に導通することで容量素子Ｃ１の第２電極Ｅ２と電気光学素子８とを導通させるスイッチング素子である。図２に示すように、トランジスターＴｒのソースは電気光学素子８の陽極に接続されるとともに、そのドレインは容量素子Ｃ１の第２電極Ｅ２に接続される。したがって、このトランジスターＴｒのドレインもまた、前記第２電極Ｅ２に関する接続態様と同様、奇数行に位置する単位回路Ｐ１に関しては、図中左方に示される配線６_Ａに接続され、偶数号に位置する単位回路Ｐ１に関しては、図中右方に示される配線６_Ｂに接続される。
そして、トランジスターＴｒのゲートは走査線３に接続される。これにより、走査信号Ｇ[ｉ]がアクティブ状態に遷移するとトランジスターＴｒがオン状態となって、第２電極Ｅ２と電気光学素子８とが導通する。一方、走査信号Ｇ[ｉ]が非アクティブ状態に遷移するとトランジスターＴｒはオフ状態となって、第２電極Ｅ２と電気光学素子８とは非導通状態となる。
【００３５】
次に、第１実施形態に係る電気光学装置１０の動作ないし作用について、既に参照した図１及び図２に加えて、図３乃至図５の各図面を参照しながら説明する。なお、図３中に示される期間１Ｈは、一行分の単位回路Ｐ１を駆動するのに割り当てられる時間、すなわち、一水平走査期間を意味する。
電気光学装置１０は、以下の〔ｉ〕〔ｉｉ〕の動作を基本とする。
〔ｉ〕書込動作；
この書込動作は、ある行に位置する各単位回路Ｐ１に含まれる電気光学素子８の発光階調に対応するデータ電位ＶＤ[ｊ]を、当該電気光学素子８を含む列に属する単位回路Ｐ１内の容量素子Ｃ１に保持させる動作である。例えば、第２行・第３列に位置する電気光学装置８についてのデータ電位ＶＤ[３]_Ｂ（図１参照）は、その第３列目に位置する各単位回路Ｐ１内の複数の容量素子Ｃ１によって保持されることになる。この場合、データ電位ＶＤ[３]_Ｂの保持に利用される容量素子Ｃ１は、偶数行に位置する各単位回路Ｐ１内に含まれるものだけであることに注意されたい。
〔ｉｉ〕発光動作（電気光学素子の駆動）；
この発光動作は、〔ｉ〕において容量素子Ｃ１に保持されたデータ電位ＶＤ[ｊ]に基づいて、当該の電気光学素子８を発光させる動作である。この動作は、当該電気光学素子８を含む単位回路Ｐ１が対応する走査線３にアクティブである走査信号Ｇ[ｉ]を供給すること、及び、それによってその単位回路Ｐ１内のトランジスターＴｒが導通状態となることを含む。これにより、電気光学素子８は、容量素子Ｃ１に蓄積された電荷に応じた電流の供給を受けることになり、発光する。
【００３６】
第１実施形態の電気光学装置１０は、基本的に、上述の〔ｉ〕〔ｉｉ〕の適当な組み合わせに基づいて動作するが、この点について、より詳細にみると以下のようである。
まず、図３の最左方に示す書込期間Ｐｗにおいて、データ線駆動回路３００内のＳＷ用配線３０３_Ａにはアクティブ状態の制御信号ＳＥＬ_Ａが供給され、ＳＷ用配線３０３_Ｂには非アクティブ状態の制御信号ＳＥＬ_Ｂが供給されることで、第１スイッチング・トランジスター３０２_Ａはオン状態となり、第２スイッチング・トランジスター３０２_Ｂはオフ状態となる。そして、データ電位生成部３０１は、添え字Ａによって表現されるデータ電位ＶＤ[１]_Ａ，ＶＤ[２]_Ａ，…，ＶＤ[ｎ]_Ａを生成し、これを各データ線６に含まれる配線６_Ａに供給する。このデータ電位ＶＤ[ｊ]_Ａは、第１行目に位置する各単位回路Ｐ１内の電気光学素子８に対応する（図３中、「Ｇ[１]対応」という文言参照）。
以上によって、第１行目に位置する各単位回路Ｐ１内の電気光学素子８についての、前記〔ｉ〕書込動作が完了する。この場合、前述した配線６_Ａ及び６_Ｂと単位回路Ｐ１との接続態様から、例えば、第１行目・第１列目の電気光学素子８に対応するデータ電位ＶＤ[１]_Ａは、その第１列目に含まれ、かつ、奇数行に位置する各単位回路Ｐ１内の容量素子Ｃ１に保持されることになる。
【００３７】
続いて、前記書込期間Ｐｗに隣接する駆動期間Ｐｄにおいて、走査線駆動回路２００が第１行目の走査線３にアクティブ状態の走査信号Ｇ[１]を供給する。これにより、その第１行目に属する電気光学素子８は一斉に発光する（前記の〔ｉｉ〕発光動作）。この際、当該の電気光学素子８に流れる電流は、前述した奇数行に属する容量素子Ｃ１に蓄積された電荷量に応じる。以上によって、１個の単位期間１Ｔが終了する（図３上方参照）。
また、第１実施形態ではこれと並行して、第２行目に位置する各単位回路Ｐ１内の電気光学素子８についての〔ｉ〕書込動作が行われる。この場合の動作の本質は前述の第１行目に関する書込動作の場合と異ならないが、ここでは、その場合とは逆に、制御信号ＳＥＬ_Ａが非アクティブ、制御信号ＳＥＬ_Ｂがアクティブとなって、第１スイッチング・トランジスター３０２_Ａはオフ状態となり、第２スイッチング・トランジスター３０２_Ｂはオン状態となる。また、データ電位生成部３０１は、添え字Ｂによって表現されるデータ電位ＶＤ[１]_Ｂ，ＶＤ[２]_Ｂ，…，ＶＤ[ｎ]_Ｂを生成し、これを配線６_Ｂに供給する（図３中、「Ｇ[２]対応」という文言参照）。以上により、例えば、第２行目・第１列目の電気光学素子８に対応するデータ電位ＶＤ[１]_Ｂは、その第１列目に含まれ、かつ、偶数行に位置する各単位回路Ｐ１内の容量素子Ｃ１に保持されることになる。
【００３８】
図４及び図５は、以上の動作を視覚的に表現する。すなわち、図４においては、制御信号ＳＥＬ_Ａがアクティブ、第１スイッチング・トランジスター３０２_Ａが導通状態となって、第（２ｋ−１）行目（ｋは適当な整数）、即ち奇数行目に属する容量素子Ｃ１が、データ電位ＶＤ[ｊ]_Ａに応じた電荷を蓄積する場合が描かれている（図４中、太線かつ実線の矢印、及び、それに関連するハッチング部分等参照）。
【００３９】
図５においては、その第（２ｋ−１）行目に対応する走査線３にアクティブ状態の走査信号Ｇ[２ｋ−１]が供給されることで、この行に属するトランジスターＴｒがオン状態となり、それに対応する電気光学素子８の各々が発光する場合が描かれている。また、この際、当該の電気光学素子８には、前述した奇数行目に属する容量素子Ｃ１の電荷に応じて電流供給がなされる場合も描かれている（図５中、太線かつ実線の矢印、及び、それに関連するハッチング部分等参照）。
一方、この図５においては、これと並行して、図示される第２行目を含む偶数行目に位置する単位回路Ｐ１内の電気光学素子８についての書込動作が行われる場合も描かれている（図５中、太線かつ破線の矢印、及び、それに関連するハッチング部分等参照）。図５の場合では第（２ｋ−１）行目の電気光学素子８が駆動対象となっているから、この図５の後においては、第２ｋ（＝（２ｋ−１）＋１）行目の電気光学素子８が駆動対象となって発光することになる（この点は不図示）。
【００４０】
以後は、上述した動作が繰り返し行われる。すなわち、ある時点においては、奇数行目に属する容量素子Ｃ１についての書込動作と偶数行目に属する電気光学素子８の発光動作とが行われ、他の時点においては、その逆の動作が行われながら、発光対象となる電気光学素子８が、順次、図４・図５中（あるいは図１・図２中）下方にずれていく。
なお、図３中示される期間１Ｖは、走査線３の全部の選択が一巡するまでの期間である一垂直走査期間を意味する。
【００４１】
このような構成及び動作を行う、第１実施形態の電気光学装置１０によれば、次のような効果が奏される。
すなわち、第１実施形態の電気光学装置１０によれば、各データ線６が２本の配線６_Ａ及び６_Ｂを含み、かつ、これら配線６_Ａ及び６_Ｂのそれぞれが奇数行及び偶数行に位置する単位回路Ｐ１に接続されるようになっていることから、１個の電気光学素子８を駆動するために容量素子Ｃ１の一斉充電又は一斉放電のための時間を比較的長く確保することができる。
【００４２】
このことは、第１実施形態と図６及び図７との対比においてより明瞭に把握される。ここに図６は、第１実施形態に係る構成に対する比較例（図２と対比参照）、図７は、図６の比較例に係る構成の動作に関するタイミングチャートである（図３と対比参照）。
この図６においては、図１あるいは図２等とは異なって、データ線６Ｃｏｎｖは単位回路Ｐ１の各列に対応して１本ずつ設けられている。つまり、第１実施形態では、各列対応のデータ線６がそれぞれ２本の配線６_Ａ及び６_Ｂを含むのに対して、比較例においては、１本の配線しか存在しない。したがって、図６では、これに応じて、ある列に属する各容量素子Ｃ１の接続先は、ある１本のデータ線６Ｃｏｎｖに集中することになる（図６参照）。
図６では、このような構成であることに応じて、図７に示すように、書込期間Ｐｗ及び発光期間Ｐｄがいわば正確に交互に現れることになる。すなわち、第１に、第１行目に属する電気光学素子８のための書込動作が行われた後、第２に、その電気光学素子８に関する発光動作が行われ、その後第３に、第２行目に属する電気光学素子８のための書込動作が行われる、というようである。これは、比較例においては、書込動作及び発光動作の並行処理（図５又は図３参照）が実施できないことによっている。
以上によると、仮に、図７及び図３に示す一垂直走査期間１Ｖの長さが等しいとするならば、図７の場合において確保可能な書込期間Ｐｗの１個１個の長さは、図３の場合におけるそれよりも短くなる。駆動期間Ｐｄについても同様である。
【００４３】
以上の対比から明らかなように、第１実施形態によれば、書込期間Ｐｗ及び駆動期間Ｐｄともに、比較例に対して、より長期の時間を確保することが可能となる。したがって、第１実施形態においては、容量素子Ｃ１への一斉充電は十分に行われ、また、当該容量素子Ｃ１からの一斉放電も十分に行われることになるので、表示画像に輝度ムラ等を発生させるおそれは極めて低減される。
【００４４】
＜第２実施形態＞
以下では、本発明に係る第２実施形態について図８及び図９を参照しながら説明する。なお、この第２実施形態は、各データ線６に含まれる配線６_Ａ及び６_Ｂのそれぞれのためのデータ電位生成部が存在する点について特徴があり、それ以外の点については、上記第１実施形態の構成及び動作ないし作用等と同様である。したがって、以下では、前記相違点について主に説明を行うこととし、それ以外の点についての説明は適宜簡略化し、あるいは省略する。
【００４５】
第２実施形態では、図８に示すように、データ線駆動回路３００が、図中上下に分離した２つの部分を含むようになっている。すなわち、データ線駆動回路３００は、図８中下方において配線６_Ａのそれぞれに接続される複数のデータ電位生成部３０４_Ａを含み、図８中上方において配線６_Ｂのそれぞれに接続される複数のデータ電位生成部３０４_Ｂを含む。配線６_Ａは、第１実施形態と同様、奇数行目に位置する単位回路Ｐ１に接続されているので、データ電位生成部３０４_Ａは、当該の単位回路Ｐ１のためのデータ電位ＶＤ[ｊ]_Ａを当該配線６_Ａに供給する。同様に、配線６_Ｂは偶数行目に位置する単位回路Ｐ１に接続されているので、データ電位生成部３０４_Ｂは、当該の単位回路Ｐ１のためのデータ電位ＶＤ[ｊ]_Ｂを当該配線６_Ｂに供給する。
これらデータ電位生成部３０４_Ａ及び３０４_Ｂは、各々独立にデータ電位ＶＤ[ｊ]_Ａ及びＶＤ[ｊ]_Ｂを生成し、また、それを配線６_Ａ又は６_Ｂに供給可能である。
なお、これら複数のデータ電位生成部３０４_Ａ及び複数のデータ電位生成部３０４_Ｂはそれぞれ、本発明にいう「第１データ電位生成部」及び「第２データ電位生成部」（又はその逆）の一具体例に該当する。
【００４６】
このような構成を備える第２実施形態に係る電気光学装置は、以下のように動作ないし作用する。すなわち、まず、図９の最左方に示す書込期間Ｐｗにおいて、データ線駆動回路３００内のデータ電位生成部３０４_Ａは、データ電位ＶＤ[１]_Ａ，ＶＤ[２]_Ａ，…，ＶＤ[ｎ]_Ａを生成し、これを配線６_Ａに供給する（前記の〔ｉ〕書込動作）。このデータ電位ＶＤ[ｊ]_Ａは、第１行目に位置する各単位回路Ｐ１内の電気光学素子８に対応する（図９中、「Ｇ[１]対応」という文言参照）。
続いて、第２実施形態では、この書込期間Ｐｗ内において、第２行目に位置する各単位回路Ｐ１内の電気光学素子８についての書込動作も並行して行われる。すなわち、図９に示すように、第１行目に係る書込期間Ｐｗが概ね半分終了した時点において、第２行目に係る書込動作は開始する（図９中、「Ｇ[２]対応」という文言参照）。この場合の動作の本質は前述の第１行目に関する書込動作の場合と異ならない。ただ、この場合は、データ線駆動回路３００内のデータ電位生成部３０４_Ｂが、データ電位ＶＤ[１]_Ｂ，ＶＤ[２]_Ｂ，…，ＶＤ[ｎ]_Ｂを生成し、これを配線６_Ｂに供給する。
このような動作が可能であるのは、データ電位生成部３０４_Ａ及び３０４_Ｂが、配線６_Ａ及び６_Ｂの別に応じて個別的に備えられているからである。
【００４７】
以上により、例えば、第１行目・第１列目の電気光学素子８に対応するデータ電位ＶＤ[１]_Ａは、その第１列目に含まれ、かつ、奇数行に位置する各単位回路Ｐ１内の容量素子Ｃ１に保持される一方、第２行目・第１列目の電気光学素子８に対応するデータ電位ＶＤ[１]_Ｂは、その第１列目に含まれ、かつ、偶数行に位置する各単位回路Ｐ１内の容量素子Ｃ１に保持されることになる。
【００４８】
続いて、前述の第１行目に係る書込期間Ｐｗに隣接する駆動期間Ｐｄにおいて、走査線駆動回路２００は第１行目の走査線３にアクティブ状態の走査信号Ｇ[１]を供給する。これにより、その第１行目に属する電気光学素子８は一斉に発光する（前記の〔ｉｉ〕発光動作）。この際、当該の電気光学素子８に流れる電流は、前述した奇数行に属する容量素子Ｃ１に蓄積された電荷量に応じる。以上によって、１個の単位期間１Ｔが終了する（図９上方参照）。
なお、この場合において、前述の第２行目に係る書込期間Ｐｗはなお継続している。つまり、１行目に係る発光動作と、２行目に係る書込動作は並行して行われる。
【００４９】
以上によると結局、ある時点においては、奇数行目に属する容量素子Ｃ１についての書込動作と、偶数行目に属する容量素子Ｃ１についての書込動作とが並行して行われ、また、ある時点においては、奇数行目に属する電気光学素子８の発光動作と偶数行目に属する容量素子Ｃ１についての書込動作とが並行して行われ、その他の時点においては、偶数行目に属する電気光学素子８の発光動作と奇数行目に属する容量素子Ｃ１についての書込動作とが並行して行われる、という３種の態様が存在することになる。そして、第２実施形態では、これら３種の態様が繰り返し適宜の順番で現れながら、発光対象となる電気光学素子８が、順次、図８中下方にずれていく。
【００５０】
以上述べたような第２実施形態によっても、上記第１実施形態によって奏された作用効果と本質的に異ならない作用効果が奏されることは明白である。
しかも、この第２実施形態によれば、配線６_Ａ及び６_Ｂの別に応じたデータ電位生成部３０４_Ａ及び３０４_Ｂが備えられているので、上述のように、奇数行目及び偶数行目に属する容量素子Ｃ１についての書込動作が並行して行われ得るようになっている。すなわち、第１実施形態において並行して行い得るのは、奇数行目に係る書込動作と偶数行目に係る発光動作（又はその逆）であったことと対比すると、第２実施形態では、更なる時間利用の効率化が図られている。そして、このことは、１個の電気光学素子８を駆動するための容量素子Ｃ１の一斉充電又は一斉放電のための時間を、上記第１実施形態に比べても更に長く確保することができることを意味する。
このように、第２実施形態によれば、第１実施形態によって奏された作用効果を超えた作用効果が奏される可能性がある。
【００５１】
また、第２実施形態においては、図８と図２とを対比するとわかるように、第１実施形態において設置されていた第１・第２スイッチング・トランジスター３０２_Ａ及び３０２_Ｂ、並びに、ＳＷ用配線３０３_Ａ及び３０３_Ｂが必要でない。したがって、第２実施形態によれば、それを設置する分の低コスト化が見込まれ、また、ＳＷ用配線３０３_Ａ及び３０３_Ｂを通じた第１・第２スイッチング・トランジスター３０２_Ａ及び３０２_Ｂの制御等も必要でなくなるから、動作シーケンスの簡易化等も実現可能となる。
【００５２】
なお、上述においては、図８に示す構成を、図９に示すタイミングチャートに従って動作させる態様について説明しているが、当該構成は、それ以外の方法によって動作させることも可能である。
例えば、図８に示す構成は、図１０に示すタイミングチャートに従って動作させることが可能である。この図１０においては、まず、同図の最左方に示す書込期間Ｐｗにおいて、データ線駆動回路３００内のデータ電位生成部３０４_Ａ及び３０４_Ｂが同時に動作する。すなわち、データ電位生成部３０４_Ａは、データ電位ＶＤ[１]_Ａ，ＶＤ[２]_Ａ，…，ＶＤ[ｎ]_Ａを配線６_Ａに供給する一方、データ電位生成部３０４_Ｂは、データ電位ＶＤ[１]_Ｂ，ＶＤ[２]_Ｂ，…，ＶＤ[ｎ]_Ｂを配線６_Ｂに供給する。これにより、第１及び第２行目に位置する各単位回路Ｐ１内の電気光学素子８のための〔ｉ〕書込動作は一斉に行われることになる（図１０中、「Ｇ[１]対応」及び「Ｇ[２]対応」という文言参照）。そして、図１０においては、この書込期間Ｐｗの後、この第１及び第２行目に係る電気光学素子８についての〔ｉｉ〕発光動作が一斉に行われる。後は、以上の繰り返しである（図１０参照）。
【００５３】
このような動作態様は、一見すると、上記第１実施形態の比較例として参照した図７の場合と異ならないように見えるが、図１０の場合では、２行分の書込動作及び発光動作が並行して行われ得るようになっているので、やはり、容量素子Ｃ１の一斉充電及び一斉放電のための時間の長期化を図ることができる。実際、図１０及び図７に示す一垂直走査期間１Ｖの長さが等しいとするならば、図１０の場合において確保可能な書込期間Ｐｗの１個１個の長さは、図７の場合におけるそれの２倍となっている。駆動期間Ｐｄについても同様である。
【００５４】
なお、図１０のような駆動方法を採用する場合においては、列方向に沿って隣り合う２つの単位回路Ｐ１の別に応じて、走査線３を設ける必要がない。すなわち、これらの単位回路Ｐ１に関しては、共通の走査線３が１本あればよい。図１１においては、そのような場合における構成例を示しておいた。この図において、図中上方の走査線３は、１行目及び２行目に位置する単位回路Ｐ１に共通である（当該走査線３に関して記号“Ｇ[１，２]”が付されているのは、この走査線３に、これらの単位回路Ｐ１に共通の走査信号Ｇ[１，２]が供給されることを意味している。）。同様にして、その直下の走査線３は、３行目及び４行目に位置する単位回路Ｐ１に共通である（記号“Ｇ[３，４]”参照）。
【００５５】
以上、本発明に係る実施の形態について説明したが、本発明に係る電気光学装置は、上述した形態に限定されることはなく、各種の変形が可能である。
（１）  上記第１及び第２実施形態においては、前述の〔ｉ〕書込動作において充電対象となるのは、単位回路Ｐ１内に含まれる容量素子Ｃ１となっているが、本発明は、かかる形態に限定されない。
例えば、図１２に示すように、各配線６_Ａ及び６_Ｂには補助用の容量素子Ｃｓが接続されてもよい。この容量素子Ｃｓは、その一方の電極Ｅ３が配線６_Ａ又は６_Ｂに接続されるとともに、他方の電極Ｅ４は固定電位が供給される電位線へ接続される。なお、図１２は、第１実施形態を前提として、図２の構成に容量素子Ｃｓが付加される形態を図示しているが、第２実施形態に係る図８を前提として、容量素子Ｃｓが付加される形態であってよいことは言うまでもない。
このような形態においては、図３、図９又は図１０に示した各単位期間１Ｔ内の書込期間Ｐｗにおいて、所定の容量素子Ｃ１に加えて、補助用の容量素子Ｃｓも充電される。また、これら各図に示した各単位期間１Ｔ内の駆動期間Ｐｄにおいては、補助用の容量素子Ｃｓからの電荷が、当該補助用の容量素子Ｃｓに対応する単位回路Ｐ１へ供給される。
【００５６】
このような形態によれば、一の電気光学素子８に対応する配線６_Ａ又は６_Ｂに接続された容量素子Ｃ１の容量の合計値が、当該電気光学素子８の発光量を十分な値とするのに不十分である場合であっても、前記補助用の容量素子Ｃｓの容量を利用することでその不足分を補うことができる。
このような効果は、上記第１及び第２実施形態において特に有意義である。というのも、第１及び第２実施形態において、前記〔ｉ〕書込動作及び〔ｉｉ〕発光動作は、全単位回路Ｐ１内の容量素子Ｃ１が利用されて行われるのではなく、その半数の容量素子Ｃ１だけが利用されて行われるようになっていることから、前述したような不足分が生じる可能性が大きいからである。
【００５７】
（２）  上記第１及び第２実施形態においては、単位回路Ｐ１内に容量素子Ｃ１が含まれる形態について説明しているが、本発明は、かかる形態に限定されない。
例えば、図１３に示すように、単位回路Ｐ１１は、上記各実施形態における容量素子Ｃ１を含まなくともよい。この場合には、データ電位ＶＤ[ｊ]に応じた電荷は、各配線６_Ａ又は６_Ａに付随する容量、即ち例えば、当該配線６_Ａ又は６_Ｂと電気光学素子８の陽極との間に寄生する寄生容量等に蓄えられることになる。
このような形態によれば、前述した容量素子Ｃ１を設置する分の低コスト化を達成することができる。また、同じ理由から、単位回路Ｐ１１のサイズの縮小化も実現できるので、高精細化もまた可能になる。
なお、このような図１３に示す形態に、図１２を参照して説明した補助用の容量素子Ｃｓが付加される形態も、当然、本発明の範囲内にある。
【００５８】
（３）  上記第１及び第２実施形態においては、データ線６が、２本の配線６_Ａ及び６_Ｂを含むものとなっているが、本発明は、１本のデータ線６に含まれる配線の数について特に限定しない。すなわち、各データ線６は、３本以上の配線を含んでよい。
例えば、図１４に示すように、１本のデータ線６は４本の配線６_Ａ，６_Ｂ，６_Ｃ及び６_Ｄを含んでよい。この図において、配線６_Ａ及び６_Ｂと、これらにデータ電位ＶＤ[ｊ]を供給するためのデータ電位生成部３０１及び第１・第２スイッチング・トランジスター３０２_Ａ及び３０２_Ｂとは、上記第１実施形態と何ら変わりない。
図１４では、これに加えて、配線６_Ｃが図中上から３番目の単位回路Ｐ１に含まれる容量素子Ｃ１の一方の電極に接続され、配線６_Ｄが図中上から４番目の単位回路Ｐ１に含まれる容量素子Ｃ１の一方の電極に接続されている。また、配線６_Ｃ及び６_Ｄには、それぞれ第３及び第４スイッチング・トランジスター３０２_Ｃ及び３０２_Ｄが接続されている。これら第３及び第４スイッチング・トランジスター３０２_Ｃ及び３０２_Ｄは、そのゲートに接続されたＳＷ用配線３０３_Ｃ及び３０３_Ｄに供給される制御信号ＳＥＬ_Ｃ及びＳＥＬ_Ｄによって、そのオン状態・オフ状態間の遷移が制御される。そして、これら第３及び第４スイッチング・トランジスター３０２_Ｃ及び３０２_Ｄには、データ電位生成部３０６が接続される。
【００５９】
これらデータ電位生成部３０６、第３及び第４スイッチング・トランジスター３０２_Ｃ及び３０２_Ｄ、ＳＷ用配線３０３_Ｃ及び３０３_Ｄ、並びに、配線６_Ｃ及び６_Ｄは、その構成が前記データ電位生成部３０１等の構成とパラレルであることから明らかなように、その動作ないし機能は、データ電位生成部３０１等を含む構成における動作ないし機能と本質的に変わらない。すなわち、ある時点においては、第３スイッチング・トランジスター３０２_Ｃを介して配線６_Ｃにデータ電位ＶＤ[ｊ]_Ｃが供給され、他の時点においては、第４スイッチング・トランジスター３０２_Ｄを介して配線６_Ｄにデータ電位ＶＤ[ｊ]_Ｄが供給される。この場合、第１から第４の各スイッチング・トランジスター（３０２_Ａから３０２_Ｄ）の各々が、どのようなタイミングでオン状態となり、あるいはオフ状態となるかについては、様々なバリエーションが考えられ得る（図３、図９又は図１０参照）。
【００６０】
このような形態によれば、１回の充電又は放電に関与する容量素子Ｃ１の数は、上記第１又は第２実施形態に比べても減少することになるから、その充電時間又は放電時間をより長期化することが可能である。
【００６１】
なお、図１４からもわかるように、単位回路Ｐ１の周囲にバランスよく配線を設置していくためには、配線の数は偶数であることが好ましい（もっとも、これは、その偶数本の配線のうちの半数を単位回路Ｐ１の左に、他の半数を右に配置する場合を前提とする。全配線を単位回路Ｐ１の片方の側に集中して配置する場合は、配線の数が偶数であるか奇数であるかは、バランスのよいレイアウトを考える上では、大きな影響を及ぼさない。）。また、配線の数の上限について、本発明は特に限定しないが、開口率等の関係から、最大でも１０本程度に抑制するのが好適である。
【００６２】
＜応用＞
次に、上記実施形態に係る電気光学装置１０を適用した電子機器について説明する。
図１５は、上記実施形態に係る電気光学装置１０を画像表示装置に利用したモバイル型のパーソナルコンピュータの構成を示す斜視図である。パーソナルコンピュータ２０００は、表示装置としての電気光学装置１０と本体部２０１０とを備える。本体部２０１０には、電源スイッチ２００１及びキーボード２００２が設けられている。
図１６に、上記実施形態に係る電気光学装置１０を適用した携帯電話機を示す。携帯電話機３０００は、複数の操作ボタン３００１及びスクロールボタン３００２、ならびに表示装置としての電気光学装置１０を備える。スクロールボタン３００２を操作することによって、電気光学装置１０に表示される画面がスクロールされる。
図１７に、上記実施形態に係る電気光学装置１０を適用した情報携帯端末（ＰＤＡ：Personal Digital Assistant）を示す。情報携帯端末４０００は、複数の操作ボタン４００１及び電源スイッチ４００２、ならびに表示装置としての電気光学装置１０を備える。電源スイッチ４００２を操作すると、住所録やスケジュール帳といった各種の情報が電気光学装置１０に表示される。
【００６３】
本発明に係る電気光学装置が適用される電子機器としては、図１５から図１７に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００６４】
１０……電気光学装置、１００……画素アレイ部、２００……走査線駆動回路、３００……データ線駆動回路、３０１，３０４_Ａ，３０４_Ｂ，３０６……データ電位生成部、３０２_Ａ，３０２_Ｂ，３０２_Ｃ，３０２_Ｄ……第１，第２，第３，第４スイッチング・トランジスター、３０３_Ａ，３０３_Ｂ，３０３_Ｃ，３０３_Ｄ……スイッチング・トランジスター制御用配線、Ｐ１……画素回路、８……電気光学素子、３……走査線、３０……容量線、６……データ線、６_Ａ，６_Ｂ，６_Ｃ，６Ｄ……配線、Ｃ１……容量素子、Ｅ１……第１電極、Ｅ２……第２電極、Ｔｒ……トランジスター、Ｃｓ……補助用の容量素子
【図１】
2010243610.tif 000003
【図２】
2010243610.tif 000004
【図３】
2010243610.tif 000005
【図４】
2010243610.tif 000006
【図５】
2010243610.tif 000007
【図６】
2010243610.tif 000008
【図７】
2010243610.tif 000009
【図８】
2010243610.tif 000010
【図９】
2010243610.tif 000011
【図１０】
2010243610.tif 000012
【図１１】
2010243610.tif 000013
【図１２】
2010243610.tif 000014
【図１３】
2010243610.tif 000015
【図１４】
2010243610.tif 000016
【図１５】
2010243610.tif 000017
【図１６】
2010243610.tif 000018
【図１７】
2010243610.tif 000019